(57)【要約】【課題】可動支持部が目立たずしかもその内部の配線によって外観が損なわれることのない遊技機を提供する。【解決手段】演出体４１を移動可能に支持する可動支持部４２内に、演出体４１とその外部の所定部位とを接続するケーブル１０１が配設された遊技機で、可動支持部４２を透明な樹脂で形成し、その可動支持部４２に沿って配設するケーブル１０１を扁平なフラットケーブルとし、可動支持部４２のうち、少なくとも遊技機本体１の前側から視認可能な部分についてはフラットケーブル１０１をその厚さ方向が遊技機本体１の前後方向に対して略垂直となるように配設したものである。【選択図】図１０
2011098146.tif 000002
【特許請求の範囲】
【請求項１】
所定の演出体（４１）を移動可能に支持する可動支持部（４２）内に、前記演出体（４１）とその外部の所定部位とを接続するケーブル（１０１）が配設された遊技機において、前記可動支持部（４２）を透明な樹脂で形成し、その可動支持部（４２）に沿って配設する前記ケーブル（１０１）を扁平なフラットケーブルとし、前記可動支持部（４２）のうち、少なくとも遊技機本体（１）の前側から視認可能な部分については前記フラットケーブル（１０１）をその厚さ方向が前記遊技機本体（１）の前後方向に対して略垂直となるように配設したことを特徴とする遊技機。
【請求項２】
前記演出体（４１）は少なくとも一部に後側を見通せない不透明部（７１）が設けられており、前記フラットケーブル（１０１）は前記不透明部（７１）の後側で前記演出体（４１）側のコネクタ（７７）に接続されていることを特徴とする請求項１に記載の遊技機。
【請求項３】
前記演出体（４１）は前記可動支持部（４２）に対して前後方向の軸回りに一定角度の範囲内で回転動作可能であり、前記フラットケーブル（１０１）は前記不透明部（７１）の後側で前記回転動作に追従させるための弛み部（１０１ｂ）を持たせたことを特徴とする請求項２に記載の遊技機。
【請求項４】
前記フラットケーブル（１０１）を前記弛み部（１０１ｂ）に対する前記演出体（４１）側で該演出体（４１）又はこれと一体に回転する部材（８３）に固定するケーブル固定手段（１０３）を設けたことを特徴とする請求項３に記載の遊技機。
【請求項５】
前記フラットケーブル（１０１）は、前記弛み部（１０１ｂ）に対する前記演出体（４１）側で後ろ向き略直角に折り返され、更に前向きに屈曲されて前記演出体（４１）側の前記コネクタ（７７）に後側から結合されていることを特徴とする請求項４に記載の遊技機。
【発明の詳細な説明】
【技術分野】
【０００１】
本発明は、可動支持部によって移動可能に支持される演出体を備えたパチンコ機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めるべく、例えば液晶表示手段の近傍に可動演出体を設けたものが開発されている（特許文献１参照）。
【０００３】
この種の遊技機では、例えば液晶表示手段に表示される図柄変動演出中に所定の確率で可動演出体を動作させることにより、図柄変動後に大当たりとなる可能性が高いことを予告する予告演出を行うようになっている。
【先行技術文献】
【特許文献】
【０００４】
【特許文献１】特開２００７−２２２３４９号公報
【発明の概要】
【発明が解決しようとする課題】
【０００５】
ところで、このような可動演出体の中には、その略全体が演出体としての役割を果たすものと、例えば飛行機など空間に浮かぶ物体を模した演出体とこれを単に移動可能に支持するためだけの可動支持部とで構成されるものとが存在する。後者の場合には、可動支持部は極力目立たないようにする必要があるため、例えばできる限り細く形成することはもちろん、例えば透明な樹脂を使用することも有効であると考えられる。
【０００６】
しかしながら、例えば演出体にＬＥＤ等の電気部品が装着されている場合には、可動支持部に沿って例えばその内部にケーブルを配設する必要があるため、可動支持部を透明な樹脂で形成するとそのケーブルが透けて見え、かえって外観が損なわれる問題があった。
【０００７】
本発明は、上記事情に鑑みてなされたものであり、その目的とするところは、可動支持部が目立たずしかもその内部の配線によって外観が損なわれることのない遊技機を提供することにある。
【課題を解決するための手段】
【０００８】
本発明は、所定の演出体４１を移動可能に支持する可動支持部４２内に、前記演出体４１とその外部の所定部位とを接続するケーブル１０１が配設された遊技機において、前記可動支持部４２を透明な樹脂で形成し、その可動支持部４２に沿って配設する前記ケーブル１０１を扁平なフラットケーブルとし、前記可動支持部４２のうち、少なくとも遊技機本体１の前側から視認可能な部分については前記フラットケーブル１０１をその厚さ方向が前記遊技機本体１の前後方向に対して略垂直となるように配設したものである。
【発明の効果】
【０００９】
本発明によれば、可動支持部４２の内部の配線は前側から透けて見えるものの殆ど目立たず、外観が大きく損なわれることがないという利点がある。
【図面の簡単な説明】
【００１０】
【図１】本発明の一実施形態を示すパチンコ機の全体正面図である。
【図２】同じくセンターケースの分解斜視図である。
【図３】同じくセンターケースの後構造体の正面図である。
【図４】同じく可動ユニットの分解斜視図である。
【図５】同じく可動ユニットの演出体及び可動支持部の斜視図である。
【図６】同じく可動ユニットの演出体及び可動支持部の分解斜視図である。
【図７】同じく抜け止めプレートとケーブル固定部材の分解斜視図である。
【図８】同じく可動ユニットの側面断面図である。
【図９】同じく可動ユニットの平面断面図である。
【図１０】同じく可動ユニットの背面断面図である。
【図１１】同じく可動ユニットの演出体及び可動支持部の側面断面図である。
【図１２】同じく可動ユニットの演出体及び可動支持部の平面断面図である。
【図１３】同じく可動ユニットの演出体及び回転駆動機構の動作を示す説明図である。
【発明を実施するための形態】
【００１１】
以下、本発明の実施形態を図面に基づいて詳述する。図１〜図１３は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１２】
前面板５には、その前側に、発射手段（図示省略）に供給するための遊技球を貯留する貯留皿６、発射手段を作動させるための発射ハンドル７等が設けられている。
【００１３】
ガラス扉４の後側には、遊技盤１１が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。
【００１４】
センターケース１４は、図１〜図３に示すように、遊技盤１１の装着孔に対して前側から着脱自在に装着される前構造体２１と、液晶式その他の画像表示手段２２が装着され且つ前構造体２１に対応して遊技盤１１の裏側に着脱自在に装着される後構造体２３とを備えている。前構造体２１は、遊技盤１１の装着孔に沿って配置される装飾枠２４と、この装飾枠２４の下部側に沿って左右方向に配置され且つ入球口２５に入球した遊技球を自由に転動させて前側に落下させるステージ２６等を備えている。
【００１５】
また、後構造体２３は、前側が開放した略箱形に形成され且つその略中央に表示窓３１が形成された後ケース３２と、この後ケース３２の内側で且つ表示窓３１の上側に配置される可動ユニット３３とを備えており、前構造体２１の後側に対応するように遊技盤１１の裏側に装着され、後ケース３２の前端側に一体に設けられた鍔状の固定部３４においてねじ止め等により遊技盤１１に固定されている。画像表示手段２２は、その表示画面２２ａを表示窓３１に一致させた状態で後ケース３２の背面側に着脱自在に固定されている。
【００１６】
可動ユニット３３は、図２〜図４等に示すように、演出体４１と、この演出体４１を前後方向の軸回りに回転可能に支持する可動支持部４２と、この可動支持部４２を左右方向に移動可能に支持する支持本体部４３と、可動支持部４２等を介して演出体４１を左右方向に駆動する水平駆動手段４４と、可動支持部４２及び演出体４１の左右方向への移動に伴って演出体４１を前後方向の軸回りに回転駆動する回転駆動機構４５とを備えている。
【００１７】
支持本体部４３は、図４，図８，図９等に示すように、左右方向に水平に配置された前後一対のガイドシャフト４６，４６と、これらガイドシャフト４６，４６上にその軸方向、即ち左右方向に摺動自在に装着された移動台４７と、ガイドシャフト４６，４６をその両端側で支持する支持フレーム４８とを備え、この支持フレーム４８が、表示窓３１の上側で後ケース３２に着脱自在に固定されている。なお、この支持本体部４３は、その略全体が前構造体２１の装飾枠２４等によって前側から覆われており（図１参照）、遊技機本体１の正面からは見えないようになっている。
【００１８】
支持フレーム４８は、例えば板金製で、略水平で且つ左右方向に長い略矩形状の上壁部４９と、この上壁部４９の左右の縁部に沿って夫々下向きに折り曲げられた一対のシャフト支持部５０ａ，５０ｂと、上壁部４９の前縁に沿って例えば下向きに折り曲げられた前壁部５１と、一対のシャフト支持部５０ａ，５０ｂのうちの一方、例えば右シャフト支持部５０ｂの下端部に沿って例えば水平外向きに折り曲げられたセンサ装着部５２と、例えば上壁部４９の後縁に沿って上向きに折り曲げられた固定フランジ５３とを一体に備え、固定フランジ５３が後ケース３２に対して例えばねじ止めされている。
【００１９】
前後一対のガイドシャフト４６，４６は、所定距離を隔てて平行に配置され、その両端側が夫々左右のシャフト支持部５０ａ，５０ｂにより支持されている。移動台４７は、前後のガイドシャフト４６，４６に跨るように例えばその上側に載置され、ガイドシャフト４６，４６を下側から抱き込むように移動台４７に固定されるガイドカバー５４によってガイドシャフト４６，４６上に軸方向摺動自在に保持されている。
【００２０】
移動台４７上には、ガイドシャフト４６，４６の軸方向、即ち左右方向に沿って配置されたラック５５と、例えば前向き突出状に設けられた１又は複数、例えば２つの第１，第２固定基部５６ａ，５６ｂとが例えば一体に設けられている。ラック５５は例えば後ろ向きに設けられ、水平駆動手段４４によって回転される駆動ギヤ５６が噛合されている。水平駆動手段４４はステッピングモータにより構成され、例えばその駆動軸４４ａを上壁部４９から下向きに突出させた状態で上壁部４９の上面側に着脱自在に装着されており、その駆動軸４４ａに駆動ギヤ５６が固定されている。
【００２１】
移動台４７は、水平駆動手段４４の駆動により、ガイドシャフト４６，４６の一端側、例えば右端側の原点位置と、ガイドシャフト４６，４６の他端側、例えば左端側の最大作動位置との間を可動範囲として往復移動可能となっており、原点位置にあるとき、例えばその右端部に設けられた被検出部５７が原点位置検出センサ５８により検出されるようになっている。なお、原点位置検出センサ５８は例えば透過型フォトセンサにより構成され、支持フレーム４８のセンサ装着部５２に装着されている。
【００２２】
また、支持フレーム４８には、移動台４７上の第１，第２固定基部５６ａ，５６ｂの可動範囲に対応して、例えば上壁部４９と前壁部５１との角部に沿って開口部５９が形成されている。更に、例えば支持フレーム４８の上壁部４９上には、中継基板支持部６１が設けられ、その中継基板支持部６１の例えば背面側に中継基板６２が着脱自在に固定されている。中継基板支持部６１は例えば合成樹脂製で、上壁部４９の上面側に着脱自在に固定されている。
【００２３】
また、支持フレーム４８の前側にはクランクガイド６３が配置されている。クランクガイド６３は、回転駆動機構４５の一部を構成するもので、例えば前壁部５１の前面側で且つ開口部５９の下側に移動台４７の移動方向に沿って配置されており、その上縁側の略全体が、演出体４１を前後方向の軸回りに回転駆動するためのガイド面６３ａとなっている。このガイド面６３ａは、移動台４７の移動方向に沿ってその高さ位置が滑らかに変化しており、例えば原点位置側（右端側）が最も低く、最大作動位置側（左端側）が最も高くなっている。なお、前壁部５１は、開口部５９の下側で左右方向の一部が破断しており、クランクガイド６３はその破断部分に対応して配置され、その左右両端側が前壁部５１側の左固定端６４と例えばセンサ装着部５２側の右固定端６５とに固定されている。
【００２４】
演出体４１は、図４〜図６，図１０，図１１等に示すように、裏カバー７１と、この裏カバー７１の前側に装着されたＬＥＤ基板７２と、このＬＥＤ基板７２を前側から覆うように裏カバー７１に固定された装飾レンズ７３とを備えている。裏カバー７１は、正面視円形の回転プレート７４と、この回転プレート７４の外周側に張り出す張り出し部７５とを備え、例えば不透明な合成樹脂により一体に形成されており、その前面側の略全体に対応するようにＬＥＤ基板７２が装着されている。張り出し部７５は、互いに反対側の二箇所に設けられており、裏カバー７１は全体として略楕円形に形成されている。この裏カバー７１が、後側を見通せない不透明部の一例であって、本実施形態では、遊技機本体１の正面から見て演出体４１の略全体にこの不透明部としての裏カバー７１が設けられている。
【００２５】
ＬＥＤ基板７２には、その前面側に多数のＬＥＤ７６が配置され、また裏面側にはその略中央にＬＥＤ基板側コネクタ７７が後ろ向きに装着されている。回転プレート７４には、その中心に円形のコネクタ挿通孔７８が形成されており、ＬＥＤ基板７２のＬＥＤ基板側コネクタ７７がこのコネクタ挿通孔７８から後ろ向きに露出している。
【００２６】
また、回転プレート７４の裏側には、コネクタ挿通孔７８の外周に沿って後ろ向きに突出する円筒状のコネクタガイド７９と、このコネクタガイド７９の外周側から回転プレート７４の背面に沿って半径方向に突出する複数のガイドリブ８０と、回転プレート７４の外周に沿って後ろ向きに突出する円形の外周リブ８１と、この外周リブ８１の内側近傍に後ろ向き突出状に設けられる１つの被駆動連結軸８２とを一体に備えている。
【００２７】
ガイドリブ８０は、コネクタガイド７９の外周に沿って略等ピッチで複数、例えば６つ設けられており、それらの外周側端部の半径方向位置は全て同じとなっている。なお、本実施形態では、６つのガイドリブ８０のうちの複数、例えば３つに対して、抜け止めプレート８３をねじ止めするためのねじ止めボス８４が後ろ向きに一体形成されている。
【００２８】
装飾レンズ７３は、透光性を有する無色透明又は有色透明の合成樹脂により形成され、例えばその略全体に装飾を兼ねた乱反射加工が施されており、裏カバー７１及びその前側のＬＥＤ基板７２の全体を前側から覆うように裏カバー７１の前側に着脱自在に装着されている。
【００２９】
可動支持部４２は、演出体４１を支持本体部４３側の移動台４７の下方で支持するもので、図４〜図６，図１０〜図１２等に示すように、演出体４１を回転自在に支持する回転ベース部８５と、移動台４７に固定される支持ベース部８６と、それら支持ベース部８６と回転ベース部８５とを上下に連結するアーム部８７とを備え、例えば透明な合成樹脂により一体に形成されている。
【００３０】
回転ベース部８５は、演出体４１の回転プレート７４に対応する円形の板状に形成され、その中心部には演出体４１側のコネクタガイド７９及びガイドリブ８０が前側から回動自在に嵌合する円形の軸受孔８８が、その軸受孔８８の外周側には演出体４１側の被駆動連結軸８２が前側から摺動自在に嵌合する円弧状のガイド孔８９が夫々形成されている。演出体４１のコネクタガイド７９及びガイドリブ８０に対しては、回転ベース部８５の裏側から軸受孔８８よりも大径の抜け止めプレート８３が装着され、ねじ止めボス８４に対してねじ止めにより着脱自在に固定されており、回転ベース部８５を回転プレート７４と抜け止めプレート８３とで前後両面から挟み込むことにより、演出体４１は回転ベース部８５に回転自在に保持されている。
【００３１】
このように、演出体４１は、回転ベース部８５に対して、被駆動連結軸８２がガイド孔８９に沿って移動可能な所定角度、例えば略９０度の範囲で、前後方向の中心軸廻りに回転可能である。ここで、ガイド孔８９は、回転ベース部８５の左右一方側、例えば左側に縦向きに配置されており、被駆動連結軸８２はこのガイド孔８９に沿って略上下方向に移動可能となっている。また、抜け止めプレート８３には、演出体４１側のコネクタ挿通孔７８に対応する例えば円形のケーブル挿通孔９０が形成されている。なお、回転ベース部８５は、その略全体が演出体４１の裏側に隠れており、遊技機本体１の正面からは見えないようになっている。
【００３２】
アーム部８７は、回転ベース部８５の上端側略中央から上向きに延設された細長板状に形成されており、その上端側に支持ベース部８６が一体に設けられている。支持ベース部８６の背面側には、移動台４７上の第１，第２固定基部５６ａ，５６ｂに対応する第１，第２被固定部９１ａ，９１ｂが一体に設けられており、第１固定基部５６ａの前端側に第１被固定部９１ａが、第２固定基部５６ｂの前端側に第２被固定部９１ｂが、夫々ねじ止めにより着脱自在に固定されている。
【００３３】
これにより、可動支持部４２は、水平駆動手段４４の駆動により、移動台４７と一体で原点位置と最大作動位置との間を左右方向に移動可能である。図１０に示すように、第１固定基部５６ａ及び第１被固定部９１ａは例えば演出体４１の中心軸の略上方に位置し、第２固定基部５６ｂ及び第２被固定部９１ｂはその移動方向（左右方向）の一方側、例えば左側に配置されている。
【００３４】
なお、支持ベース部８６は支持本体部４３の前側に位置しているため、その略全体が支持本体部４３と共に前構造体２１の装飾枠２４等によって前側から覆われており（図１参照）、遊技機本体１の正面からは見えないようになっている。このように、可動ユニット３３のうち、遊技機本体１の正面から見ることができるのは、演出体４１と、可動支持部４２のアーム部８７の少なくとも一部のみである。また、そのアーム部８７は透明な合成樹脂により形成されており、その裏側を見通すことができるためあまり目立たず、演出体４１があたかも宙に浮いているように見せることができる。
【００３５】
また、可動支持部４２の後側にはクランク部材９２とリンク部材９３とが配置されている。これらクランク部材９２とリンク部材９３は、クランクガイド６３と共に回転駆動機構４５を構成するものである。クランク部材９２は、第１固定基部５６ａにより回転自在に支持される例えば筒状の軸着部９４と、この軸着部９４から互いに異なる半径方向に突出するガイドアーム９５及び駆動アーム９６とを一体に備え、支持ベース部８６の後側に装着されている。ガイドアーム９５の先端側には、クランクガイド６３のガイド面６３ａ上に摺接する例えば正面視略円形の摺接部９５ａが一体に設けられている。
【００３６】
クランク部材９２は、図１３（ａ）に示すように、可動支持部４２が原点位置にあるとき、ガイドアーム９５が軸着部９４に対して真下よりも原点位置側（右側）においてクランクガイド６３のガイド面６３ａに上側から摺接し、駆動アーム９６が軸着部９４に対して最大作動位置側の所定方向、例えば左斜め上方に向くように形成されている。なお、クランク部材９２は、第１固定基部５６ａに装着されたバネ９７により、ガイドアーム９５をクランクガイド６３のガイド面６３ａに押し付ける方向、即ち正面視時計方向に弾性付勢されている。
【００３７】
これにより、可動支持部４２が水平駆動手段４４の駆動によって原点位置から最大作動位置側に移動する際には、ガイドアーム９５はクランクガイド６３のガイド面６３ａに案内されて徐々に押し上げられ、それによって駆動アーム９６は下向きに揺動する（図１３（ａ）→（ｂ））。逆に可動支持部４２が最大作動位置から原点位置側に移動する際には、ガイドアーム９５はクランクガイド６３のガイド面６３ａに案内されてバネ９７の付勢力により徐々に押し下げられ、それによって駆動アーム９６は上向きに揺動する（図１３（ｂ）→（ａ））。
【００３８】
リンク部材９３は、駆動アーム９６の先端側と演出体４１の被駆動連結軸８２とを例えば可動支持部４２の後側で上下方向に接続するもので、例えば透明な合成樹脂により形成されており、駆動アーム９６の上下方向の揺動動作と、被駆動連結軸８２の上下方向の移動動作とが連動するように、上端側が前後方向の連結軸９８により駆動アーム９６の先端側に、下端側が演出体４１の被駆動連結軸８２に夫々回転自在に連結されている。これにより、可動支持部４２が水平駆動手段４４の駆動によって水平方向に往復移動すると、それに伴って演出体４１が前後方向の軸廻りに所定角度（例えば９０度）の範囲内で往復回転する（図１３）。なお、リンク部材９３は、作動中になるべく可動支持部４２の外側にはみ出さないように、その上下方向の中間部分が可動支持部４２のアーム部８７側に屈曲している。
【００３９】
また、演出体４１上のＬＥＤ基板７２と支持フレーム４８上の中継基板６２との間は、扁平なフラットケーブル１０１により接続されており、このフラットケーブル１０１は以下のように配設されている。即ち、フラットケーブル１０１は、図１０，図１１等に示すように、その一端側に設けられたケーブル側コネクタ１０２がＬＥＤ基板７２側のＬＥＤ基板側コネクタ７７に後側から結合され、演出体４１側のコネクタ挿通孔７８及びコネクタガイド７９、抜け止めプレート８３のケーブル挿通孔９０を介して後ろ向きに引き出されており、更にその近傍でケーブル固定部材（ケーブル固定手段）１０３により例えば抜け止めプレート８３に固定されると共に、演出体４１の回転方向に沿うようにその長手方向の向きが切り換えられている。
【００４０】
ここで、ケーブル固定部材１０３は、図７等に示すように、ケーブル挿通孔９０に沿って抜け止めプレート８３の背面８３ａに当接する略円弧状の内押さえ部１０４と、この内押さえ部１０４から演出体４１の軸方向に沿って後ろ向きに立設された起立壁１０５と、この起立壁１０５の後縁側から半径方向外側に向けて抜け止めプレート８３に平行に延設された本体部１０６と、この本体部１０６の外周側から抜け止めプレート８３の外周面８３ｂに沿って前向きに延設された外押さえ部１０７とを一体に備え、例えば本体部１０６の周方向両端側において抜け止めプレート８３にねじ止め等により着脱自在に固定されている。
【００４１】
抜け止めプレート８３のケーブル挿通孔９０から後ろ向きに引き出されたフラットケーブル１０１は、抜け止めプレート８３の背面８３ａに沿うように半径方向外向きに略９０度屈曲され、抜け止めプレート８３の背面８３ａとケーブル固定部材１０３の内押さえ部１０４との間に挟まれて固定された後、更に前向きに略９０度屈曲され、抜け止めプレート８３の背面８３ａに沿ってその周方向に向くように略直角に折り返され、この折り返し部分（以下、第１折り返し部１０１ａとする）が、抜け止めプレート８３の外周面８３ｂとケーブル固定部材１０３の外押さえ部１０７との間に挟まれて固定されている。
【００４２】
これにより、フラットケーブル１０１は、図１３に示すように第１折り返し部１０１ａよりもＬＥＤ基板７２側の部分が演出体４１と一体的に回転する。なお、ケーブル固定部材１０３は、例えば抜け止めプレート８３の上部側に配置されており、フラットケーブル１０１は第１折り返し部１０１ａから抜け止めプレート８３の外周面８３ｂに沿って例えば被駆動連結軸８２とは反対側、即ち右側に引き出されている。また、抜け止めプレート８３とケーブル固定部材１０３の内押さえ部１０４との対向面には、互いに対応する凹部１０８と凸部１０９とが設けられており、フラットケーブル１０１をこれら凹部１０８と凸部１０９との間に咬ませることで滑り無く確実に固定できるようになっている。
【００４３】
第１折り返し部１０１ａから抜け止めプレート８３の外周面８３ｂに沿って引き出されたフラットケーブル１０１は、その厚さ方向が遊技機本体１の前後方向に対して略垂直  （即ちフラットケーブル１０１の幅方向と遊技機本体１の前後方向とが略一致）となっており、その状態を維持したまま、図１０〜図１２等に示すように、可動支持部４２の背面に沿って設けられたケーブル縦案内部１１０により回転ベース部８５、アーム部８７、支持ベース部８６へと上向きに配設されている。
【００４４】
このケーブル縦案内部１１０は、可動支持部４２の背面から後ろ向きに突設された左右一対のケーブル案内リブ１１１ａ，１１１ｂにより構成されている。これらケーブル案内リブ１１１ａ，１１１ｂは、アーム部８７から支持ベース部８６にかけてはその間隔が狭く、フラットケーブル１０１を左右両側から厚さ方向に挟み込んで保持、案内するようになっており、また回転ベース部８５においては図１０等に示すように抜け止めプレート８３の上側でその間隔が下開き状に広がってその内側に弛み収容部１１２を形成している。
【００４５】
第１折り返し部１０１ａから抜け止めプレート８３の外周面８３ｂに沿って引き出されたフラットケーブル１０１は、弛み収容部１１２内で、演出体４１の回転動作に完全に追従できる程度の弛み（以下、第１弛み部１０１ｂという）が形成された後、左右一対のケーブル案内リブ１１１ａ，１１１ｂに挟まれた状態でアーム部８７を経て支持ベース部８６の上端側まで案内される。
【００４６】
ここで、可動支持部４２は透明であるため、その裏側に配設されたフラットケーブル１０１についても前側から見通すことができるが、フラットケーブル１０１のうち可動支持部４２の回転ベース部８５の裏側に配設される部分、即ち第１弛み部１０１ｂからケーブル側コネクタ１０２までの部分については演出体４１の裏側に隠れており、また支持ベース部８６の裏側に配設される部分については前構造体２１の装飾枠２４等の裏側に隠れているため、遊技機本体１の前側から見えるのはアーム部８７に配設された部分のみである。しかも、図１０〜図１２等に示すようにそのアーム部８７の裏側ではフラットケーブル１０１はその厚さ方向が遊技機本体１の前後方向に対して略垂直となるように保持されているため、アーム部８７が透明であるにも拘わらず遊技機本体１の前側から見て殆ど目立たず、外観を損ねることはない。
【００４７】
なお、ケーブル案内リブ１１１ａ，１１１ｂは、アーム部８７から支持ベース部８６にかけてはリンク部材９３が配置される側とは反対の例えば右縁部に沿って配置されており、回転ベース部８５においては、外側のケーブル案内リブ１１１ａがアーム部８７との連結部からそのまま例えば右縁部に沿って外側に屈曲し、内側のケーブル案内リブ１１１ｂはアーム部８７との連結部から抜け止めプレート８３の上側を覆うように反対側（左側）に屈曲している。
【００４８】
ケーブル縦案内部１１０に案内されて可動支持部４２の上端側まで上向きに配設されたフラットケーブル１０１は、図９〜図１１等に示すように可動支持部４２の上端側に設けられたケーブル横案内部１１３によって後ろ向きに案内され、更に第２弛み部１０１ｃを介して先端側のケーブル側コネクタ１１４が中継基板６２上の中継基板側コネクタ１１５に結合されている。
【００４９】
即ち、ケーブル横案内部１１３は、例えば外側のケーブル案内リブ１１１ａの上端側から後ろ向きに延設された案内側壁部１１６と、この案内側壁部１１６の上縁側から内側のケーブル案内リブ１１１ｂの上側を覆うように略水平に延設された上壁部１１７と、この上壁部１１７を挟んで案内側壁部１１６と平行に配置された対向側壁部１１８とを一体に備えた例えば断面コの字型に形成されており、中継基板６２上の中継基板側コネクタ１１５と略同じ高さ位置に配置されている。
【００５０】
可動支持部４２の上端側まで上向きに配設されたフラットケーブル１０１は、ケーブル縦案内部１１０の上端側で後ろ向きに略直角に折り返され（以下、第２折り返し部１０１ｄとする）、ケーブル横案内部１１３の案内側壁部１１６に沿って後ろ向きに案内され、ケーブル横案内部１１３の後端側で例えば右向きに引き出されている。フラットケーブル１０１は、ここから中継基板６２までの区間についてはその厚さ方向が当該パチンコ機の前後方向に対して略垂直（即ち幅方向が前後方向と一致）とはなっていない。
【００５１】
なお、可動支持部４２の裏側には、ケーブル縦案内部１１０を後側から覆う縦案内部カバー１１９と、ケーブル横案内部１１３を下側及び後側から覆う横案内部カバー１２０とを例えば一体に備えた裏蓋１２１が着脱自在に設けられており、横案内部カバー１２０に、ケーブル横案内部１１３内のフラットケーブル１０１を案内側壁部１１６に沿って案内するケーブル押さえリブ１２２が一体に設けられている。即ち、裏蓋１２１の横案内部カバー１２０は、縦案内部カバー１１９の上端側からケーブル横案内部１１３の下側を覆うように後ろ向きに延設された下カバー板１２３と、この下カバー板１２３の後端側からケーブル横案内部１１３の後端側を覆うように上向きに延設された後カバー板１２４とで構成されており、例えばこの後カバー板１２４の前面側にケーブル押さえリブ１２２が前向きに突設されている。なお、フラットケーブル１０１は、ケーブル横案内部１１３の案内側壁部１１６と裏蓋１２１の後カバー板１２４との間から引き出されている。
【００５２】
可動支持部４２側のケーブル横案内部１１３から例えば右向きに引き出されたフラットケーブル１０１は、図９等に示すように例えばその後側で十分な弛みを持たせつつ略１８０度屈曲され（第２弛み部１０１ｃ）、先端側のケーブル側コネクタ１１４が中継基板６２上の中継基板側コネクタ１１５に結合されている。中継基板６２には、例えばその前面側に中継基板側コネクタ１１５が所定の水平方向、例えば右向きに設けられ、この中継基板側コネクタ１１５にフラットケーブル１０１のケーブル側コネクタ１１４が右側から結合された状態で、中継基板支持部６１の例えば背側に着脱自在に固定されている。中継基板支持部６１には、例えばその外縁に沿って囲いリブ１２５が後ろ向きに突設され、この囲いリブ１２５が中継基板側コネクタ１１５を取り囲むように中継基板６２の前面側に略当接しており、フラットケーブル１０１はケーブル側コネクタ１１４の近傍において中継基板６２と中継基板支持部６１側の囲いリブ１２５とで挟まれて固定されている。
【００５３】
以上のような可動ユニット３３の動作について簡単に説明する。可動ユニット３３は、通常状態では原点位置、即ち移動台４７がガイドシャフト４６，４６上の右端側で原点位置検出センサ５８により検出された状態に保持されている（図１３（ａ））。このとき、演出体４１は例えば縦長の状態で可動支持部４２と共にその略全体が表示窓３１の右側で前構造体２１の装飾枠２４等の裏側に隠れた状態となっている（図１）。
【００５４】
遊技中の所定のタイミングで例えば主制御基板から演出制御基板に対して可動演出コマンド等が送信されると、演出制御基板側の駆動制御手段が、演出体４１を所定の動作パターンに従って動作させて再び原点位置まで戻すように水平駆動手段４４を制御する。駆動制御手段の制御により水平駆動手段４４が例えば正転方向に作動すると、移動台４７が、可動支持部４２、演出体４１と共に原点位置を外れて左側、即ち画像表示手段２２側に移動し、演出体４１とこれを支持する可動支持部４２のアーム部８７（その後側のリンク部材９３を含む）が画像表示手段２２の前側で遊技機本体１の前側から視認可能な状態（図１に二点鎖線で示す）となる。
【００５５】
ここで、アーム部８７及びその後側のリンク部材９３は透明な合成樹脂により形成されており、その後側の画像表示手段２２を見通すことができるためあまり目立たず、演出体４１が宙に浮いているように見せることができる。しかも、アーム部８７内のフラットケーブル１０１は、その厚さ方向が遊技機本体１の前後方向に対して略垂直となるように保持されているため、アーム部８７が透明であるにも拘わらず遊技機本体１の前側から見て殆ど目立たず、外観を損ねることはない。
【００５６】
また、可動支持部４２等が原点位置から最大作動位置側に向けて移動する際には、クランク部材９２の摺接部９５ａがクランクガイド６３のガイド面６３ａに沿って例えば押し上げられることによりクランク部材９２が例えば反時計方向に回転し、それによってリンク部材９３を介して演出体４１も反時計方向に回転する（図１３（ａ）→（ｂ））。このとき、演出体４１の回転に伴ってフラットケーブル１０１における第１弛み部１０１ｂの状態が変化し、またその第１弛み部１０１ｂよりもＬＥＤ基板７２側の部分は演出体４１と一体に回転するが、それらの部分は全て演出体４１の後側に隠れて遊技機本体１の前側からは見えないため、演出体４１の回転動作に伴うフラットケーブル１０１の変化が外観に影響を与えることはない。
【００５７】
例えば可動支持部４２等が最大作動位置にある状態から、駆動制御手段の制御により水平駆動手段４４が例えば逆転方向に作動すると、移動台４７が可動支持部４２、演出体４１と共に右側に移動する。そして、それに伴ってクランク部材９２がバネ９７の付勢によりクランクガイド６３のガイド面６３ａに沿って例えば押し下げられることによりクランク部材９２が例えば時計方向に回転し、それによってリンク部材９３を介して演出体４１も時計方向に回転する（図１３（ｂ）→（ａ））。そして、移動台４７が原点位置に到達して原点位置検出センサ５８により検出されたとき、演出体４１は再び縦長の状態で可動支持部４２と共にその略全体が表示窓３１の右側で前構造体２１の装飾枠２４等の裏側に隠れた状態となる（図１）。
【００５８】
以上説明したように、本実施形態のパチンコ機では、可動支持部４２を透明な樹脂で形成し、その可動支持部４２に沿って配設するケーブル１０１を扁平なフラットケーブルとし、可動支持部４２のうち、少なくとも遊技機本体１の前側から視認可能な部分、即ちアーム部８７についてはフラットケーブル１０１をその厚さ方向が遊技機本体１の前後方向に対して略垂直となるように配設しているため、可動支持部４２が目立たずしかもその内部の配線によって外観が大きく損なわれることもない。
【００５９】
また、演出体４１は少なくとも一部に後側を見通せない不透明部としての裏カバー７１が設けられており、フラットケーブル１０１はその裏カバー７１の後側で演出体４１側のＬＥＤ基板側コネクタ７７に接続されており、しかも演出体４１の回転動作に追従して動作する弛み部１０１ｂについても裏カバー７１の後側に配置されているため、フラットケーブル１０１のうち、特に目立ちやすい部分が遊技者側からは見えず、外観をより良好に保つことができる。
【００６０】
以上、本発明の実施形態について詳述したが、本発明はこれらの実施形態に限定されるものではなく、本発明の趣旨を逸脱しない範囲で種々の変更が可能である。例えば、実施形態では可動支持部４２に対して演出体４１が相対動作可能に構成された例を示したが、演出体４１は可動支持部４２に固定的に支持されていてもよい。可動支持部４２に対する演出体４１の相対動作は、任意の軸廻りの回転移動の他、上下左右等の所定の方向への往復移動、或いはそれらの組み合わせであってもよい。
【００６１】
可動支持部４２内のフラットケーブル１０１は、少なくとも遊技機本体１の前側から視認可能な部分について、その厚さ方向が遊技機本体１の前後方向に対して略垂直であればよく、その配置方向は可動支持部４２の方向等に応じて上下方向、左右方向等、任意に設定すればよい。なお、フラットケーブル１０１は、遊技機本体１の前側から視認可能な部分についてはなるべく目立たないようになるべく直線的に配設し、屈曲箇所や屈曲箇所は最小限とすることが望ましい。
【００６２】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００６３】
１    遊技機本体
４１    演出体
４２    可動支持部
７１    裏カバー（不透明部）
７７    ＬＥＤ基板側コネクタ
８３    抜け止めプレート
１０１    フラットケーブル
１０１ｂ  弛み部
１０３    ケーブル固定部材（ケーブル固定手段）
【図１】
2011098146.tif 000003
【図２】
2011098146.tif 000004
【図３】
2011098146.tif 000005
【図４】
2011098146.tif 000006
【図５】
2011098146.tif 000007
【図６】
2011098146.tif 000008
【図７】
2011098146.tif 000009
【図８】
2011098146.tif 000010
【図９】
2011098146.tif 000011
【図１０】
2011098146.tif 000012
【図１１】
2011098146.tif 000013
【図１２】
2011098146.tif 000014
【図１３】
2011098146.tif 000015